(57)【特許請求の範囲】
【請求項１】
手の平、または手指を被認証部位とする生体認証装置を有し、
生体認証装置による認証成立を条件に錠操作が行われる錠付き装置であって、
装置筐体に形成され、生体認証装置に被認証部位を位置決めする読み取りガイド部が底壁部に配置されて装置筐体の正面に開放される認証操作用凹部と、
生体認証装置による被認証部位への照射光の波長成分をカットするフィルタ機能を有する透明なフィルタカバーとを備え、
前記認証操作用凹部内には読み取りガイド部周りに操作スペースが設定されるとともに、前記フィルタカバーが認証操作用凹部の天井部から庇状に突設される錠付き装置。
【請求項２】
前記認証操作用凹部の側壁部には前方に向けて不透明な遮光板が突設される請求項１記載の錠付き装置。
【請求項３】
前記生体認証装置は、手指を被認証対象とする指静脈認証装置であり、
読み取りガイド部は、上方に開放される断面Ｕ字形状に形成され、認証操作用凹部内の空間に連通する指ガイドとして形成される請求項１または２記載の錠付き装置。
【請求項４】
前記フィルタカバーと遮光板とは、フィルタカバーの両側縁から遮光板を垂下させた遮蔽フードとしてサブアッセンブルされて装置筐体に着脱可能に連結される請求項２記載の錠付き装置。
【請求項５】
複数の荷物収容室を備え、指静脈認証装置による認証成立を条件に荷物収容室の錠操作が行われるロッカ装置であって、
装置筐体に形成され、上方に開放された断面Ｕ字形状をなして指静脈認証装置に指を位置決めする指ガイドが底壁部に配置されて装置筐体の正面に開放される認証操作用凹部と、
指静脈認証装置からの指への照射光の波長成分をカットするフィルタ機能を有する透明なフィルタカバーとを有し、
前記認証操作用凹部内には指ガイド周りに操作スペースが設定されるとともに、前記フィルタカバーが認証操作用凹部の天井部から庇状に突設されるロッカ装置。
【発明の詳細な説明】
【技術分野】
【０００１】
本発明は錠付き装置、特に、生体認証装置を使用して錠操作が行われる錠付き装置に関するものである。
【背景技術】
【０００２】
錠付き装置に使用される生体認証装置としては、特許文献１の図１６に記載のものが知られている。この従来例において、生体認証装置は、手指を載せる指載せ台の上方を近赤外光カットフィルムを貼り付けた遮光カバーにより覆って形成される。
【先行技術文献】
【特許文献】
【０００３】
【特許文献１】特開２００７-２８７１２０号公報
【発明の概要】
【発明が解決しようとする課題】
【０００４】
しかし上述した従来例において、遮光カバーは指載せ台の上方の空間に手指が挿入可能な空間を画成するものであるから、外光の指載せ台、延いては読み取り部への侵入を防止することができるという利点はあるものの、認証動作に際して遮光カバー内への手指の挿入操作が必要になり操作性が悪いという問題がある。
【０００５】
本発明は、以上の欠点を解消すべくなされたものであって、操作性が良好で、かつ、外乱光を効果的に遮断して判定精度も高めることのできる錠付き装置の提供を目的とする。また、本発明の他の目的は、上述した特徴を有するロッカ装置の提供にある。
【課題を解決するための手段】
【０００６】
錠付き装置の装置筐体３には認証操作を行うための認証操作用凹部４が設けられ、認証操作は、認証操作用凹部４の底壁部５に配置された読み取りガイド部６に被認証部位１としての手の平、または手指を載せて行われる。所定位置に保持された被認証部位１には適宜の手段により照射光が照射され、反射光、あるいは透過光による画像を使用した生体認証が行われる。
【０００７】
生体認証装置２としては、指紋認証装置、静脈認証装置等が使用され、認証装置が配置される認証操作用凹部４の天井部にフィルタカバー７が突設される。フィルタカバー７は、認証装置から出力される照射光の波長域成分をカットするフィルタ機能を有しており、外光が認証操作用凹部４、ひいては生体認証装置２の読み取り部２ａに照射しても、外光の外乱成分となる被認証部位１を照射するために使用される照射光の周波数帯域の光がカットされるために、外光の影響による認識精度の低下を防止することができる。
【０００８】
フィルタカバー７は、例えば、還元ヘモグロビンの赤外線吸収能を利用して取得した静脈画像を認証データとして利用する静脈認証装置の場合、照射光として使用される近赤外線帯域に対する遮断性能を発揮するものが使用される。
【０００９】
また、フィルタカバー７は、装置筐体３に設定された認証操作用凹部４の天井部から庇状に張り出すように設けられるために、認証操作のために予め設定された認証操作用凹部４内の操作スペースを過度に狭めることがない。この結果、認証操作に際しては、認証操作用凹部４内で手を読み取りガイド部６側に降下、移動させるだけで所定位置に導くことができる。この結果、上述した従来例のように、手指をガイド部に挿入させるような動作を要しないために、操作性が向上し、さらに、フィルタカバー７は投光性を有するために、利用者は手を見ながら読み取りガイド部６に導くことができ、操作性を阻害しない。
【００１０】
さらに、フィルタカバー７を認証操作用凹部４の天井部から張り出させることにより、有効に外乱光を遮断することができる。すなわち、この種の錠付き装置は屋内に設置されることが多く、図２に示すように、家屋の天井１１に配置される照明器具が外乱光源となることが多い。
【００１１】
一般に、光源による読み取り部２ａへの照射光量（照度）は距離の２乗に反比例して減少するために、フィルタカバー７を経由しないで入射可能な最近接光源（図２における点Ａ）は読み取り部２ａからの距離が遠くなり、当該光源からの外乱光量はきわめて少量となる。この結果、十分な外乱供給源となりうる光源（例えば図２における光源Ｂ）に対する遮断が十分に行われれば、外乱による影響を読み取り部２ａにおける誤差発生レベル以下に抑えることが可能になり、従来例のように、生体認証装置２の読み取り部２ａの周りを狭域に囲むことなく、操作性を重視して読み取りガイド部６、ひいては認証装置の読み取り部２ａの周りに広いオープンスペースを設定しても、読み取り精度の低下は発生することがない。
【００１２】
また、認証操作用凹部４の側壁部に遮光板８を突設すると、側方からの外光を効果的に遮断することが可能になる。遮光板８は、認証操作時に読み取りガイド部６を視認する際の妨げにならないために、不透明な板金等により形成される。
【００１３】
さらに、錠付き装置は、
フィルタカバー７と遮光板８とは、フィルタカバー７の両側縁から遮光板８を垂下させた遮蔽フード９としてサブアッセンブルされて装置筐体３に着脱可能に連結されるように構成することができる。
【００１４】
予め組み立てられた遮蔽フード９を装置筐体３に対して着脱自在に連結することにより、設置現場の天井照明等の位置等を考慮して遮蔽フード９の種類等を変更することによって、より効果的な外乱光防止を行うことが可能になる。
また、本発明によれば、
手の平、または手指を被認証部位１とする生体認証装置２と、
装置筐体３に形成され、該装置筐体３の正面に開放される認証操作用凹部４とを有し、
認証操作用凹部４の底壁部５に配置される読み取りガイド部６により位置決めされた被認証部位１に対する生体認証装置２による認証成立を条件に錠操作が行われる錠付き装置であって、
前記認証操作用凹部４の天井部には、生体認証装置２による被認証部位１への照射光の波長成分をカットするフィルタ機能を有する透明なフィルタカバー７が突設される錠付き装置や、
複数の荷物収容室１０を備えた装置筐体３に形成され、該装置筐体３の正面に開放される認証操作用凹部４の底壁部５に上方に開放される断面Ｕ字形状の指ガイド６を配置し、該指ガイド６により位置決めされた指１に対する指静脈認証装置２による認証成立を条件に荷物収容室１０の錠操作が行われるロッカ装置であって、
前記認証操作用凹部４の天井部には、指静脈認証装置２からの指１への照射光の波長成分をカットするフィルタ機能を有する透明なフィルタカバー７が突設されるロッカ装置を提供することも可能である。
【発明の効果】
【００１５】
本発明によれば、外乱光による認証精度の低下をもたらすことなく、良好な操作性を確保することができる。
【図面の簡単な説明】
【００１６】
【図１】ロッカ装置を示す図で、（ａ）は正面図、（ｂ）は認証操作部を拡大して示す図である。
【図２】ロッカ装置の側面図である。
【図３】認証操作部を示す図で、（ａ）は斜視説明図、（ｂ）は断面図である。
【図４】遮蔽フード９の組立を示す正面図である。
【図５】図４の断面図である。
【図６】指静脈の読み取り状態を示す図で、（ａ）は手指をセットした状態を示す平面図、（ｂ）は（ａ）の６Ｂ-６Ｂ線断面図である。
【発明を実施するための形態】
【００１７】
図１以下にロッカ装置として構成された本発明の実施の形態を示す。ロッカ装置は、複数の荷物収容室１０を備えた装置筐体３の中心部に認証操作部１２を配置して形成される。各荷物収容室１０は摘み１０ａを備えた扉１０ｂにより施錠可能に閉塞される。
【００１８】
各扉１０ｂを錠操作するために装置筐体３にはコントローラ１３が収容されており、後述する指静脈認証装置（生体認証装置２）において認証が成立すると、電源部１４から給電されてコントローラ１３が駆動され、リンク１５を経由して各扉１０ｂの錠装置（図示せず）が操作される。
【００１９】
上記認証操作部１２は、装置筐体３に形成される認証操作用凹部４内に配置される。図４、５に示すように、認証操作用凹部４は正面に向けて開放されており、その上部にはユーザへの操作指示、あるいはユーザによる錠操作対象の荷物収容室１０の特定操作のためのタッチパネル１６が配置される。
【００２０】
また、認証操作用凹部４の奥行き壁面には、停電、故障等、非常時に各扉を解錠するための非常用のキーシリンダ錠１７が配置される。
【００２１】
さらに、上記認証操作用凹部４の底壁部５には手載せ台１８が前方に向けて突設されるとともに、手載せ台１８に手の平を乗せた状態で被認証部位１として利用される中指に対応する位置に指ガイド（読み取りガイド部６）が固定される。図３、６に示すように、指ガイド６は中指１を載せることができる程度の幅方向寸法を有して上方に向けて開放されるＵ字状断面形状に形成されて認証操作用凹部４の底壁部５上に固定される。
【００２２】
図６（ｂ）に示すように、指ガイド６の側壁部には近赤外線を照射する照射光源２ｂが装着されるとともに、その下方に読み取り部２ａが配置される。指ガイド６には図外のスイッチが配置されており、認証操作用凹部４内で手を下方に降ろして指ガイド６間に中指１を読み取り部２ａに対して非接触状態で翳すとスイッチが投入されて照射光源２ｂが発光する。照射光源２ｂにより照らされた中指１の静脈画像は上記読み取り部２ａにより撮影され、図外の認証部において予め登録された画像と比較され、一致する場合には上述したようにコントローラ１３が駆動され、タッチパネル１６により指定された荷物収容室１０の扉１０ｂが解錠される。
【００２３】
以上のように構成される認証操作用凹部４には遮蔽フード９が取り付けられる。図４、５に示すように、遮蔽フード９は、金属板材により形成されるフード本体９ａにフィルタカバー７を固定して形成される。フード本体９ａは、タッチパネルカバー部９ｃと、タッチパネルカバー部９ｃの下端縁に一体形成される遮光板８を有する。タッチパネルカバー部９ｃの中央部には、タッチパネル１６を露出させるための開口９ｂが開設され、遮光板８は、認証操作用凹部４の幅寸法よりやや小寸の間隔で対峙するように２枚配置される。
【００２４】
一方、上記フィルタカバー７は、ポリカーボネート等の透明の合成樹脂材の表面に近赤外領域の波長の光をカットする透明フィルタを貼り付けて形成される。フィルタカバー７を固定するために、遮光板８の上端縁部にはフィルタ取付片８ａが折曲形成され、フィルタカバー７のフィルタ取付片８ａの固定にはリベット等が使用される。
【００２５】
なお、フィルタカバー７の固定をネジ等、着脱操作が容易な止着子を使用すると、設置現場の状況を考慮して装置筐体３からの張り出し寸法が最適なフィルタカバー７を適宜選択して使用することができるために融通性が向上する。
【００２６】
以上のように構成される遮蔽フード９は、遮光板８の奥行き端縁部に曲成される装置取付片８ｂ、およびタッチパネルカバー部９ｃの上端縁をビス１９等の止着子により連結して装置筐体３に固定される。固定状態において、フィルタカバー７は、認証操作用凹部４の天井部から前方斜め下方に向けて庇状に張り出し、外光の外乱成分を遮断する。なお、図５において２０は装置筐体３と遮蔽フード９との間に介装されるブラケットを示す。
【符号の説明】
【００２７】
１        被認証部位
２        生体認証装置
３        装置筐体
４        認証操作用凹部
５        底壁部
６        読み取りガイド部
７        フィルタカバー
８        遮光板
９        遮蔽フード
１０      荷物収容室
【図１】
0005438462.tif 000002
【図２】
0005438462.tif 000003
【図３】
0005438462.tif 000004
【図４】
0005438462.tif 000005
【図５】
0005438462.tif 000006
【図６】
0005438462.tif 000007